(57)【要約】【課題】  コネクタ自身の特性インピーダンスを同軸ケーブルの特性インピーダンスに確実に整合させることができ、これにより同軸ケーブルの高周波特性を良好に保つことができる同軸ケーブル用コネクタを提供する。【解決手段】  芯線Ｗａ、芯線Ｗａの外周を被覆する絶縁体Ｗｂ、絶縁体Ｗｂの外周を被覆する編組Ｗｃを順次露出された同軸ケーブルＷの端末部に装着される同軸ケーブル用コネクタ１０は、加締めにより露出された芯線Ｗａに圧着されて電気的に接続される圧着部２０、及び相手方コネクタの対となる端子に電気的に接続される接続部２１、を有するインナー端子１１と、インナー端子１１を内部に収容するインナーハウジング１２と、インナーハウジング１２の外周を覆うと共に露出された編組Ｗｃに電気的に接続されるシールド端子１３と、適正な誘電率を有し且つ加締められた圧着部２０の外周を密着状態に被覆する熱収縮性チューブ１４と、を備え、圧着部２０を被覆した熱収縮性チューブ１４の外径ｒとインナー端子１１の接続部２１の外径Ｒとが同一とされている。【選択図】  図１
2006024499.tif 000002
【特許請求の範囲】
【請求項１】
芯線、該芯線の外周を被覆する絶縁体、該絶縁体の外周を被覆する編組を順次露出された同軸ケーブルの端末部に装着される同軸ケーブル用コネクタであって、
加締めにより前記露出された芯線に圧着されて電気的に接続される圧着部、及び相手方コネクタの対となる端子に電気的に接続される接続部、を有するインナー端子と、
前記インナー端子を内部に収容するインナーハウジングと、
前記インナーハウジングの外周を覆い、且つ前記露出された編組に電気的に接続されるシールド端子と、
加締められた前記圧着部の外周を被覆する誘電体と、
を備えたことを特徴とする同軸ケーブル用コネクタ。
【請求項２】
加締められた前記圧着部の外周を被覆した状態における前記誘電体の外径と、前記インナー端子の前記接続部の外径と、が同一であることを特徴とする同軸ケーブル用コネクタ。
【請求項３】
前記誘電体が、熱収縮性を有する筒状部材であり、加熱により収縮して前記圧着部の外周を被覆することを特徴とする請求項１または請求項２に記載の同軸ケーブル用コネクタ。
【発明の詳細な説明】
【技術分野】
【０００１】
本発明は、高周波信号を伝送するアンテナ線などの同軸ケーブルに用いられる同軸ケーブル用コネクタに関する。
【背景技術】
【０００２】
一般に、高周波信号を伝送するアンテナ線などの同軸ケーブルは、電磁波や静電気などの電気的ノイズを遮断すべく絶縁体により被覆された芯線の外側を編組によって被覆し、さらにその外側を絶縁性のシースにより被覆した構成となっている。
【０００３】
そして、このような高周波信号を伝送する同軸ケーブルを相手側の機器や同軸ケーブル等に接続する同軸ケーブル用コネクタとしては、芯線に電気的に接続されるインナー端子と、編組に電気的に接続されると共にインナー端子の外側を覆ってインナー端子を電磁的にシールドするシールド端子とを備え、編組に電気的に接続されたシールド端子を相手側コネクタにアース接続する同軸ケーブル用コネクタが用いられている（例えば、特許文献１参照。）。
【０００４】
図６に示されるように、特許文献１に開示された同軸ケーブル用コネクタ１００は、芯線Ｗａ、絶縁体Ｗｂ、編組Ｗｃが順次露出された同軸ケーブルＷの端末部に装着され、露出された芯線Ｗａに電気的に接続されるインナー端子１１０と、内部にインナー端子１１０を収容するインナーハウジング１２０と、露出された編組Ｗｃに接続されると共にインナーハウジング１２０の外周を覆ってインナーハウジング１２０の内部に収容されたインナー端子１１０を電磁的にシールドするシールド端子１３０とから構成されている。
【０００５】
インナー端子１１０は、全体として略中空円筒状に形成され、加締めにより露出された芯線Ｗａに圧着接続される圧着部１１１と、露出された芯線Ｗａの軸方向に沿って圧着部１１１から延設されて相手側コネクタの対となる端子に接続される接続部１１２とから構成されている。また、インナーハウジング１２０は略円柱状に形成され、その軸線上に、インナー端子１１０を収容する端子収容室１２１が形成されている。
【０００６】
シールド端子１３０は、中空円筒状に形成されたシールド部１３１と、シールド部１３１の後方に延設されると共にシールド部１３１より小径の円筒状に形成されたスリーブ１３２と、シールド部１３１及びスリーブ１３２とは別体に形成された遮蔽体１３３とから構成されている。
【０００７】
シールド部１３１はインナーハウジング１２０に外嵌してインナーハウジング１２０の外周を覆い、また、スリーブ１３２は、同軸ケーブルＷとの接続の際に、その内部に露出された絶縁体Ｗｂを挿嵌されて露出された編組Ｗｃとその内側の絶縁体Ｗｂとの間に差し込まれる。
【０００８】
遮蔽体１３３は、シールド部１３１の後端の開口部１３１ａを塞ぐようにシールド部１３１に接合される。そして、後端に設けられたシース加締め部１３３ｂが加締められることにより同軸ケーブルＷのシースＷｄを把持し、シールド端子１３０は同軸ケーブルＷの端末部に固定される。また、遮蔽体１３３がシールド部１３１に接合された状態においてスリーブ１３２に対応する位置に設けられた編組加締め部１３３ａが、スリーブ１３２の上から加締められてスリーブ１３２を覆う編組Ｗｃをスリーブ１３２とによって狭持し、シールド端子１３０は編組Ｗｃと電気的に接続される。
【０００９】
このシールド端子１３０が相手側コネクタのアース端子に電気的に接続されることにより、同軸ケーブルＷの編組Ｗｃが相手側コネクタにアース接続され、これにより、インナーハウジング１２０を介してシールド端子１３０に収容されたインナー端子１１０は電磁的にシールドされるようになっている。
【００１０】
そして、同軸ケーブル用コネクタは、同軸ケーブルの特性インピーダンスに対してコネクタ自身の特性インピーダンスの整合が取られている。なぜなら、両者の特性インピーダンスが整合していない場合に、この不整合箇所においてノイズ発生及びエネルギ損失の原因となる信号（特に、高周波信号）の反射が生じてしまい、同軸ケーブルの高周波特性を悪化させるためである。上述した構成の同軸ケーブル用コネクタ１００においては、インナー端子１１０の外径とインナーハウジング１２０の外径との比、及びインナーハウジング１２０の誘電率などを適宜調整することにより、同軸ケーブルＷの特性インピーダンスに対してコネクタ自身の特性インピーダンスの整合が取られている。
【特許文献１】特開２００３−２９７４９３号公報（第４〜７頁、第３図）
【発明の開示】
【発明が解決しようとする課題】
【００１１】
しかしながら、上述した同軸ケーブル用コネクタ１００において、インナー端子１１０の圧着部１１１は、加締められることにより芯線Ｗａに圧着されて電気的に接続される構成となっている。そして、加締められた圧着部１１１は塑性変形しており、芯線Ｗａの軸方向に垂直な断面において、圧着部１１１の外径と接続部１１２の外径とが大きく異なってしまう場合があった。
【００１２】
このような場合に、圧着部１１１の塑性変形により、インナーハウジング１２０の端子収容室１２１内において、圧着部１１１の近傍に隙間（空気層）が形成されることとなり、この空気層により同軸ケーブル用コネクタ１００の特性インピーダンスに乱れが生じ、同軸ケーブルＷの高周波特性が悪化する虞があった。
【００１３】
また、特性インピーダンスの整合のために設定されたインナー端子１１０の外径とインナーハウジング１２０の外径との比が、圧着部１１１においては変化してしまい、圧着部１１１における特性インピーダンスの不整合のために同軸ケーブルＷの高周波特性が悪化する虞があった。
【００１４】
本発明は、上記事情に鑑みてなされたものであり、コネクタ自身の特性インピーダンスを同軸ケーブルの特性インピーダンスに確実に整合させることができ、これにより同軸ケーブルの高周波特性を良好に保つことができる同軸ケーブル用コネクタを提供することを目的とする。
【課題を解決するための手段】
【００１５】
上記目的を達成するため、本発明に係る同軸ケーブル用コネクタは、下記（１）〜（３）を特徴としている。
【００１６】
（１）  芯線、該芯線の外周を被覆する絶縁体、該絶縁体の外周を被覆する編組を順次露出された同軸ケーブルの端末部に装着される同軸ケーブル用コネクタであって、
加締めにより前記露出された芯線に圧着されて電気的に接続される圧着部、及び相手方コネクタの対となる端子に電気的に接続される接続部、を有するインナー端子と、
前記インナー端子を内部に収容するインナーハウジングと、
前記インナーハウジングの外周を覆い、且つ前記露出された編組に電気的に接続されるシールド端子と、  加締められた前記圧着部の外周を被覆する誘電体と、
を備えたこと。
（２）  上記（１）に記載の同軸ケーブル用コネクタにおいて、
加締められた前記圧着部の外周を被覆した状態における前記誘電体の外径と、前記インナー端子の前記接続部の外径と、が同一であること。
（３）  上記（１）または（２）に記載の同軸ケーブル用コネクタにおいて、
前記誘電体が、熱収縮性を有する筒状部材であり、加熱により収縮して前記圧着部の外周を被覆すること。
【００１７】
上記した構成の同軸ケーブル用コネクタによれば、同軸ケーブルの端末部に露出された芯線に電気的に接続されるインナー端子において、露出された芯線に加締められて変形した圧着部の外周を、適正な誘電率を有する誘電体により被覆しており、この誘電体により、圧着部の変形により生じた圧着部近傍の隙間（空気層）を埋めることができ、この空気層による同軸ケーブル用コネクタの特性インピーダンスの乱れを低減すると共に圧着部のシールド性を向上させることができる。
【００１８】
好ましくは、加締められた圧着部の外周を被覆した状態における誘電体の外径がインナー端子の接続部の外径と同一となる。これにより、同軸ケーブルの特性インピーダンスと同軸ケーブル用コネクタの特性インピーダンスとの整合のために設定されたインナー端子の外径とインナーハウジングの外径との比を、加締められた圧着部においても維持することができる。これにより、コネクタ自身の特性インピーダンスを同軸ケーブルの特性インピーダンスに確実に整合させ、同軸ケーブルの高周波特性を良好に保つことができる。
【００１９】
好ましくは、誘電体が、熱収縮性を有する筒状部材であり、加熱により収縮してインナー端子の圧着部の外周を被覆する。この筒状部材の熱収縮に伴い圧着部も圧縮されるため、圧着部の圧着強度を向上させることができる。また、この筒状部材は圧着部の外周面に沿うように収縮するので、容易に且つ確実に圧着部の外周を適正な誘電率を有する誘電体により被覆することができる。
【発明の効果】
【００２０】
本発明の同軸ケーブル用コネクタによれば、同軸ケーブル用コネクタの特性インピーダンスを同軸ケーブルの特性インピーダンスに確実に整合させて、同軸ケーブルの高周波特性を良好に保つことができる。
【００２１】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００２２】
以下、本発明に係る好適な実施形態を図面に基づいて詳細に説明する。
【００２３】
図１は本発明の一実施形態である同軸ケーブル用コネクタの分解斜視図、図２（ａ）は図１に示される同軸ケーブル用コネクタのインナー端子の平面図、図２（ｂ）は同図（ａ）におけるIIb-IIb矢視断面図、図２（ｃ）は同図（ａ）におけるIIc-IIc矢視断面図、図３（ａ）は図１に示される同軸ケーブル用コネクタのインナーハウジングの斜視図、図３（ｂ）は同図（ａ）に示されるインナーハウジングを別方向からみた斜視図、図３（ｃ）は同図（ａ）におけるIIIc-IIIc矢視断面図、図３（ｄ）は同図（ｂ）におけるIIId-IIId矢視断面図、図４は図１に示される同軸ケーブル用コネクタが同軸ケーブルの端末部に装着された状態における縦断面図、図５は図４におけるV-V矢視断面図である。
【００２４】
図１〜図３に示されるように、本発明の一実施形態である同軸ケーブル用コネクタに１０は、同軸ケーブルＷの芯線Ｗａに電気的に接続されるインナー端子１１と、インナー端子１１を内部に収容するインナーハウジング１２と、インナーハウジング１２の外周を覆い且つ同軸ケーブルＷの編組Ｗｃに電気的に接続されるシールド端子１３と、誘電体である熱収縮性チューブ１４とを備え、同軸ケーブルＷの端末部に装着される。
【００２５】
同軸ケーブルＷは、芯線Ｗａと、芯線Ｗａの外周を覆う絶縁体Ｗｂと、絶縁体Ｗｂの外周を覆う編組Ｗｃと、編組Ｗｃの外周を覆う絶縁性のシースＷｄから構成されており、同軸ケーブルＷの端末部は、シースＷｄ、編組Ｗｃ、および絶縁体Ｗｂをそれぞれ所定長さで剥ぎ取られ、突端から芯線Ｗａ、絶縁体Ｗｂ、および編組Ｗｃを所定長さで順次露出されている。
【００２６】
インナー端子１１は、導電性板材をプレス加工するなどして形成されており、露出された芯線Ｗａに圧着される圧着部２０と、露出された芯線Ｗａの軸方向に沿って圧着部２０から延設されて、相手側コネクタの対となる端子に電気的に接続される接続部２１とを有している。
【００２７】
圧着部２０は、芯線Ｗａの外形に沿うように断面円弧状に形成された芯線受部２５と、この芯線受部２５の両側に起立状態に延設された一対の芯線加締め片２６とから構成されている。芯線Ｗａと接触する芯線受部２５及び一対の芯線加締め片２６の接触面には、プレス加工するなどして凹凸部が形成されている。
【００２８】
露出された芯線Ｗａを芯線受部２５に載置し、一対の芯線加締め片２６を加締めることにより、インナー端子１１は芯線Ｗａに圧着され電気的に接続される。尚、芯線受部２５及び一対の芯線加締め片２６の前記接触面に設けられた凹凸部は芯線Ｗａとの滑り防止を果たす。
【００２９】
接続部２１は、外径Ｒの略中空円筒状に形成され、且つ軸方向に伸びるスリット２３により周方向に分割された一対の接触片２２を前端部に設けられた、所謂メス型の端子形状に形成されている。一対の接触片２２の間には相手側コネクタの対となるオス型端子のタブ部（不図示）が挿入され、この一対の接触片２２が該タブ部の外側面に弾性的に接触して電気的に接続されるようになっている。また、接続部２１の後端部には、外周面の接線方向に突出して係止片２４が設けられており、この係止片２４は、後述するインナーハウジング１２の弾性係止片３３と係合する。
【００３０】
熱収縮性チューブ１４は、例えば耐熱性、耐電圧に優れる軟質ポリ塩化ビニル系材料より形成され、適正な誘電率を有する熱収縮性の中空円筒状部材であり、芯線Ｗａに加締められたインナー端子１１の圧着部２０及び露出された絶縁体Ｗｂの端部を被覆するに十分な長さを有し、且つ、その内径は絶縁体Ｗｂ及び加締められた圧着部２０を内部に収容することができる径とされている。
【００３１】
加締められた圧着部２０及び露出された絶縁体Ｗｂの端部を覆った状態で熱を加えられることにより、この熱収縮性チューブ１４は収縮して加締められた圧着部２０および絶縁体Ｗｂの端部を密着状態に被覆する。尚、熱収縮性チューブ１４の肉厚は、熱収縮して圧着部２０を被覆した際に、その外径ｒ（図４参照。）がインナー端子１１の接続部２１の外径Ｒと略同一となるように、適宜選定されている。
【００３２】
インナーハウジング１２は、全体として略円柱状に形成されており、基端部３０と、この基端部３０より小径とされた中間部３１と、突端に向けてテーパ状とされた先端部とを有している。そして、インナー端子１１を収容するインナー端子収容室３２が中心軸に沿って設けられている。
【００３３】
インナー端子収容室３２は基端部３０側の軸方向端面に開口３７を有しており、インナーハウジング１２の前記先端部には、前記相手側コネクタの対となるオス型端子（不図示）をインナー端子収容室３２に収容されたインナー端子１１に到達可能とする挿通孔３８が形成されている。
【００３４】
インナー端子１１は、開口３７からインナー端子収容室３２内に挿入される。このインナー端子収容室３２には、開口３７からインナー端子１１の挿入方向に伸びてインナー端子１１の係止片２４を案内するガイド溝３５と、インナー端子１１の挿入方向に略沿って開口３７に向けて伸び、その先端部にインナー端子１１の係止片２４と係合する係止爪３４を形成された弾性係止片３３と、が設けられている。
【００３５】
弾性係止片３３の係止爪３４は、開口３７側に傾斜面３４ａを有しており、ガイド溝３５に案内されてインナー端子収容室３２内に進入した係止片２４に傾斜面３４ａを当接させて弾性変形する。そして、インナー端子１１の挿入に伴い、係止片２４がガイド溝３５の終端部３５ａに当接した際には、インナー端子１１はそれ以上の挿入を阻止されると共に、弾性係止片３３が弾性変形から復帰して係止片２４の進入方向（即ち、インナー端子１１の挿入方向）後端部に係止爪３４を係合させるので、インナー端子１１はインナー端子収容室３２からの抜脱を阻止される。また、係止片２４がガイド溝３５に係合するので、インナー端子１１は、インナーハウジング１２に対する中心軸周りの相対回転を阻止される。
【００３６】
シールド端子１３は導電性板材をプレス加工するなどして一体に形成されており、インナーハウジング１２を収容する略中空円筒状のシールド部４０と、同軸ケーブルＷの露出された編組Ｗｃに電気的に接続される圧着部４１とを有している。
【００３７】
シールド部４０は、一方の開口４７からインナーハウジング１２を挿入され、他方の開口４８から、芯線Ｗａに圧着され且つ圧着部２０を熱収縮性チューブ１４により密着状態に被覆されたインナー端子１１を挿入される。そして、シールド部４０内に挿入されたインナー端子１１は、シールド部４０内に収容されたインナーハウジング１２のインナー端子収容室３２に収容される。
【００３８】
シールド部４０の開口４８側の端部における両側の周壁には、略コ字形状のスリットによりシールド部４０の周壁から半径方向内方に向けて切り起こされた一対の弾性係止片４５が設けられている。この弾性係止片４５は、インナーハウジング１２の挿入方向において次第にシールド部４０の中心軸に接近するように傾斜している。
【００３９】
弾性係止片４５は、インナーハウジング１２がシールド部４０内に完全に挿入された際には、インナーハウジング１２の基端部３０に形成された係止溝３６に係合してインナーハウジング１２の抜脱、及びシールド部４０に対するインナーハウジング１２の中心軸周りの相対回転を阻止する。
【００４０】
圧着部４１は、絶縁体Ｗｂと編組Ｗｃとの間に挿入される舌片状のスリーブ４２と、加締めによりスリーブ４２との間で編組Ｗｃを狭持する編組加締め部４３と、加締めにより同軸ケーブルＷのシースＷｄを把持するシース加締め部４４とを有している。
【００４１】
スリーブ４２は、同軸ケーブルＷの絶縁体Ｗｂの外周面に沿うように断面略円弧状に形成され、その内径は絶縁体Ｗｂの外径と同一もしくは僅かに大きい径とされている。そして、断面略円弧状に形成されたスリーブ４２は、その中心軸をシールド部４０の中心軸と一致させるように配置され、シールド部４０の開口４８側の端部の上側周縁に接続されている。
【００４２】
編組加締め部４３は、同軸ケーブルＷの編組Ｗｃの外周面に沿うように断面略円弧状に形成された編組受部４３ａと、この編組受部４３ａの両側端部から起立状態に延設された一対の編組加締め片４３ｂとからなり、断面略円弧状に形成された編組受部４３ａの中心軸をシールド部４０の中心軸と一致させるように配置され、シールド部４０の開口４８側の端部の下側周縁に接続されている。
【００４３】
シース加締め部４４は、同軸ケーブルＷのシースＷｄの外周面に沿うように断面略円弧状に折り曲げ加工して形成されたシース受部４４ａと、シース受部４４ａの両側端部から起立状態に延設された一対のシース加締め片４４ｂとからなり、断面略円弧状に形成されたシース受部４４ａの中心軸をシールド部４０の中心軸と一致させるように配置され、編組加締め部４３に連設されている。
【００４４】
図４および図５に示されるように、同軸ケーブル用コネクタ１０が同軸ケーブルＷの前記端末部に装着された状態において、シールド端子１３のシールド部４０の開口４７から挿入されたインナーハウジング１２は、シールド部４０内に収容されている。尚、シールド部４０の開口４８側の端部における下側の周壁には、インナーハウジング１２の基端部３０の下部に設けられた位置決め凹部３９と係合する位置決め凸部４９が、シールド部４０の半径方向内方に向けて突設されている。
【００４５】
インナーハウジング１２がシールド部４０内に挿入されて正規の位置に達した状態において、インナーハウジング１２の位置決め凹部３９とシールド部４０の位置決め凸部４９とが当接してインナーハウジング１２のそれ以上の挿入が阻止されており、インナーハウジング１２の係止溝３６とシールド部４０の弾性係止片４５との係合とによって、インナーハウジング１２はシールド部４０内に固定されている。
【００４６】
インナー端子１１は、予め同軸ケーブルＷの露出された芯線Ｗａに圧着され且つ圧着部２０を熱収縮性チューブ１４に密着状態に被覆された状態において、シールド部４０の開口４８から挿入され、インナーハウジング１２のインナー端子収容室３２内に収容されている。インナー端子１１がインナー端子収容室３２内に挿入されて正規の位置に達した状態において、インナー端子１１の係止片２４がインナー端子収容室３２に設けられたガイド溝３５の終端部３５ａに当接し且つインナー端子収容室３２に設けられた弾性係止片３３の係止爪３４に係合して、インナー端子１１はインナー端子収容室３２内に固定されている。
【００４７】
また、シールド端子１３のスリーブ４２は絶縁体Ｗｂと露出された編組Ｗｃとの間に差し込まれており、編組加締め部４３の一対の編組加締め片４３ｂが加締められている。このとき、スリーブ４２を覆う編組Ｗｃはスリーブ４２と一対の編組加締め片４３ｂとによって狭持され、さらに、上方から一対の編組加締め片４３ｂにより加締められたスリーブ４２により絶縁体Ｗｂは編組加締め部４３の編組受部４３ａに付勢され、従って、絶縁体Ｗｂと編組受部４３ａとの間に介在する編組Ｗｃも絶縁体Ｗｂと編組受部４３ａとによって狭持されている。これにより、シールド端子１３は同軸ケーブルＷの編組Ｗｃに電気的に確実に接続されている。
【００４８】
また、同軸ケーブルＷのシースＷｄがシールド端子１３のシース加締め部４４により把持されていると共に、同軸ケーブルＷの絶縁体Ｗｂが、上方から一対の編組加締め片４３ｂにより加締められたスリーブ４２を介して編組加締め部４３により把持され、これにより、シールド端子１３は同軸ケーブルＷの前記端末部に強固に固定されている。
【００４９】
熱収縮性チューブ１４の中間部は、露出された絶縁体Ｗｂの前記端部からインナー端子１１の圧着部２０に向けて縮径するようにテーパ状に収縮しており、熱収縮性チューブ１４は、その一方の端部において絶縁体Ｗｂの前記端部外周を、そして他方の端部においてインナー端子１１の圧着部２０の外周を密着状態に被覆している。そして、圧着部２０を被覆した熱収縮性チューブ１４の外径ｒは、インナー端子１１の接続部２１の外径Ｒと略同一の径となっている。
【００５０】
上述した構成の同軸ケーブル用コネクタ１０によれば、露出された芯線Ｗａに加締められて変形した圧着部２０の外周を、適正な誘電率を有する熱収縮性チューブ１４により密着状態に被覆しており、この熱収縮性チューブ１４の外径ｒがインナー端子１１の接続部２１の外径Ｒと同一となっている。これにより、同軸ケーブルＷの特性インピーダンスと同軸ケーブル用コネクタ１０の特性インピーダンスの整合のために設定されたインナー端子１１の外径とインナーハウジング１２の外径との比を、加締められた圧着部２０においても維持することができる。これにより、同軸ケーブル用コネクタ１０自身の特性インピーダンスを同軸ケーブルＷの特性インピーダンスに確実に整合させ、同軸ケーブルＷの高周波特性を良好に保つことができる。また、この熱収縮性チューブ１４により、圧着部２０の変形により生じた圧着部近傍の隙間（空気層）を埋めることができ、この空気層による同軸ケーブル用コネクタ１０の特性インピーダンスの乱れを低減することができる。
【００５１】
また、熱収縮性チューブ１４は、加熱により収縮してインナー端子１１の圧着部２０を被覆し、熱収縮性チューブ１４の収縮に伴い圧着部２０も圧縮されるため、圧着部２０の圧着強度を向上させることができる。また、熱収縮性チューブ１４は圧着部２０の外周面に沿うように収縮するので、熱収縮性チューブ１４を容易に且つ確実に圧着部２０の外周を密着状態に被覆することができる。
【００５２】
さらに、インナー端子１１の圧着部２０の外周を密着状態に被覆した熱収縮性チューブ１４の一端が、同軸ケーブルＷの端末部に露出された絶縁体Ｗｂの端部まで延長されて該端部外周を密着状態に被覆しており、熱収縮性チューブ１４の前記中間部は、テーパ状に外径を徐々に変化させながら絶縁体Ｗｂの端部と圧着部２０との段差部を滑らかに覆っている。絶縁体Ｗｂの端部と圧着部２０との段差部における外径の不連続によっても、同軸ケーブルＷの特性インピーダンスと同軸ケーブル用コネクタ１０の特性インピーダンスとの整合にズレを生じるが、熱収縮性チューブ１４により絶縁体Ｗｂの端部と圧着部２０との段差部を滑らかに覆うことにより、同軸ケーブルＷの特性インピーダンスと同軸ケーブル用コネクタ１０の特性インピーダンスとを確実に整合させ、同軸ケーブルＷの高周波特性を良好に保つことができる。
【００５３】
尚、本発明の同軸ケーブル用コネクタは、上述した実施形態に限定されるものではなく、適宜、変形、改良、等が可能である。その他、前述した実施形態における各構成要素の形状、寸法、数値、形態、数、配置箇所、等は本発明を達成できるものであれば任意であり、限定されない。
【図面の簡単な説明】
【００５４】
【図１】本発明の一実施形態である同軸ケーブル用コネクタの分解斜視図である。
【図２】（ａ）は図１に示される同軸ケーブル用コネクタのインナー端子の平面図、（ｂ）は同図（ａ）におけるIIb-IIb矢視断面図、（ｃ）は同図（ａ）におけるIIc-IIc矢視断面図である。
【図３】（ａ）は図１に示される同軸ケーブル用コネクタのインナーハウジングの斜視図、（ｂ）は同図（ａ）に示されるインナーハウジングを別方向からみた斜視図、（ｃ）は同図（ａ）におけるIIIc-IIIc矢視断面図、（ｄ）は同図（ｂ）におけるIIId-IIId矢視断面図である。
【図４】図１に示される同軸ケーブル用コネクタが同軸ケーブルの端末部に装着された状態における縦断面図である。
【図５】図４におけるV-V矢視断面図である。
【図６】従来の同軸ケーブル用コネクタの分解斜視図である。
【符号の説明】
【００５５】
１０  同軸ケーブル用コネクタ
１１  インナー端子
１２  インナーハウジング
１３  シールド端子
１４  熱収縮性チューブ（誘電体）
２０  圧着部
２１  接続部
３２  インナー端子収容室
４０  シールド部
４２  スリーブ
４３  編組加締め部
４４  シース加締め部
Ｗ    同軸ケーブル
Ｗａ  芯線
Ｗｂ  絶縁体
Ｗｃ  編組
Ｗｄ  シース
【図１】
2006024499.tif 000003
【図２】
2006024499.tif 000004
【図３】
2006024499.tif 000005
【図４】
2006024499.tif 000006
【図５】
2006024499.tif 000007
【図６】
2006024499.tif 000008